(57)【要約】【課題】移動式パネルの上部が天井に設けたガイドレールで案内され、下部が床面上を走行する下荷重方式であり、移動パネルを所定位置へ移動させた後に移動規制状態にすること、あるいは移動規制状態から移動可能状態にすることを簡単な操作で行うことができ、しかも外観的に全く問題のない移動式間仕切装置を提供する。【解決手段】移動パネル１を移動規制状態にするリフト機構５は、移動パネル１のパネル本体２２の下端に、パネル本体より下方へ突出するように転動輪２を設けるとともに、平行リンク２３にて巾木部材２４を揺動昇降可能に設け、巾木部材が上昇して転動輪が床面Ｆに接地している状態では、巾木部材の一端の先端部２４Ａがパネル本体の側端面から突出し、巾木部材が下降して転動輪が床面から浮上している状態では巾木部材がパネル本体の直下に位置するようにした。【選択図】        図７
2008095285.tif 000002
【特許請求の範囲】
【請求項１】
移動パネルの下端部に設けた転動輪で床面上を走行するとともに、移動パネルの上端部に設けたガイドローラ又はガイドスライダーを天井に設けたガイドレールに沿って移動案内し、あるいは移動パネルの上端部に設けたガイドローラで天井に設けたガイドレールに吊下げ式に移動案内し、複数の移動パネルをガイドレールに沿って直線状に整列させた後、移動規制状態としてなる移動式間仕切装置であって、パネル本体の下端部に巾木部材を昇降ガイドによって昇降可能に設け、該巾木部材が上昇して前記転動輪が床面に接地し又はパネル本体の下端が床面から離れている移動可能状態では、該巾木部材の一端の先端部がパネル本体の側端面から突出し、該巾木部材の突出した先端部が他の物に当接した際の反力により下降して床面に巾木部材が圧接している状態では該巾木部材がパネル本体の直下に位置するようになっていることを特徴とする移動式間仕切装置。
【請求項２】
移動パネルの下端部に設けた転動輪で床面上を走行するとともに、移動パネルの上端部に設けたガイドローラ又はガイドスライダーを天井に設けたガイドレールに沿って移動案内し、複数の移動パネルをガイドレールに沿って直線状に整列させた後、リフト機構によって転動輪を浮上させて移動規制状態としてなる移動式間仕切装置であって、前記リフト機構は、前記移動パネルのパネル本体の下端に、該パネル本体より下方へ突出するように転動輪を設けるとともに、平行リンクにて巾木部材を揺動昇降可能に設け、該巾木部材が上昇して前記転動輪が床面に接地している状態では、該巾木部材の一端の先端部がパネル本体の側端面から突出し、該巾木部材が下降して前記転動輪が床面から浮上している状態では該巾木部材がパネル本体の直下に位置するようになっていることを特徴とする移動式間仕切装置。
【請求項３】
前記リフト機構は、前記パネル本体の下面に取付ける固定部材と前記巾木部材とを一対のリンク部材で互いに枢着して平行リンクを構成するとともに、前記固定部材と前記巾木部材との間に中間部材を配して前記リンク部材の中間部に枢着し、該中間部材の下面に前記転動輪を取付けるとともに、前記巾木部材の下端から転動輪が下方へ突出可能としてなる請求項２記載の移動式間仕切装置。
【請求項４】
前記巾木部材は、上方開放した断面略コ字形の長尺チャンネル部材であり、該巾木部材が上昇した際に、その凹溝の内部に前記中間部材と固定部材を順に受け入れ可能であるとともに、前記巾木部材の底面板に前記転動輪が通過可能な開口部を対応させて設けている請求項２又は３記載の移動式間仕切装置。
【請求項５】
前記リンク部材は側面視長方形のブロック状であり、前記巾木部材の先端部が突出する方向側に対応する前記リンク部材の上端角部を、前記固定部材に取付けた軸受具を用いて枢着するとともに、該リンク部材の下端角部の対角部を、前記巾木部材の底面板に取付けた軸受具を用いて枢着して、前記平行リンクを構成する請求項２〜４何れかに記載の移動式間仕切装置。
【請求項６】
前記中間部材には、前記リンク部材を貫通し、その動きに干渉しないように開口を設け、該開口の口縁部に回転ダンパーで前記リンク部材の中間よりも上部に枢着している請求項３〜５何れかに記載の移動式間仕切装置。
【請求項７】
前記巾木部材の凹溝内で底面板に該巾木部材を下方へ弾性付勢する弾性体を設け、あるいはリンク部材を枢着した軸受具の軸部の回りに該巾木部材を下方へ弾性付勢するキックばねを設け、あるいは両者を設けてなる請求項２〜６何れかに記載の移動式間仕切装置。
【発明の詳細な説明】
【技術分野】
【０００１】
本発明は、移動式間仕切装置に係わり、更に詳しくは大部屋を小部屋に区画するために天井から床面にわたる全面を閉止可能又は開放可能となした移動式間仕切装置に関するものである。
【背景技術】
【０００２】
従来から、大部屋の中間部の天井に設けたレールに沿って複数の移動パネルを、そのパネル表面に平行な方向（面内方向）へ移動可能とするとともに、全ての移動パネルをレールの一側終端部で９０度回転させることを可能とした移動式間仕切装置は各種提供されている。この種の移動式間仕切装は、レールの一側終端部で、移動パネルをパネル表面がレールと直交するように９０度回転させて、その表面同士を重ねてコンパクトに格納し、大部屋の空間を開放した態様と、移動パネルを９０度回転させてレールの一側終端部からレールに沿って引き出し、各移動パネルを直線上に連設し、大部屋を小部屋に区画する態様とを実現するものである。
【０００３】
特許文献１には、天井に取付けたガイドレールに、移動パネル（ドアー）をその上端に設けたガイドローラで移動可能に吊下げ、各移動パネルを直線状に整列させた状態で、移動パネルの下面と床面との間を閉塞するようになした構造が開示されている。つまり、移動パネルの下端部に設けた下方開放の枠体内の両側部に、上下動可能に一対の昇降板を設けるとともに、一端を側端面から突出させ且つ突出方向へ弾性付勢して作動杆を左右移動可能に横設し、Ｌ字形の作動腕の屈曲部を枠体に形成した上下方向の長溝に軸支するとともに、一端を前記作動杆に枢着し、他端を前記昇降板に枢着し、移動パネルが壁面あるいは他の移動移動パネルの側端面に当止した際に、前記作動杆の突出部が押し込まれ、該作動杆の横移動に連動して前記昇降板が下降し、両昇降板の下端間に連結した閉塞体の下面に設けた緩衝材が床面に接触する構造である。
【０００４】
特許文献２には、移動パネル（パネルユニット）の上端の少なくとも前後の端部に、天井に設けたガイドレールに沿って移動可能な案内部材を、上下方向に移動可能として設けるとともに、移動パネルの下端部に、床面上を移動可能な前後１対のキャスタと、移動パネルの昇降手段とを設け、該昇降手段の操作により移動パネルを上昇させたとき、前記キャスタが移動パネルの下端より突出して床面と接床し、同じく移動パネルを下降させたとき、移動パネルの下端が床面と接床されるようにした移動式パネル装置が開示されている。ここで、昇降手段が、移動パネルの下端部内に上下動可能に収容され、下面に１対のキャスタを設けた可動板と、該可動板の中間部に連係され、可動板を上下動させる上下１対のリンクよりなるトグルリンク機構と、該トグルリンク機構を移動パネルの外部より屈伸操作可能な操作レバーとを備えた構造、あるいは昇降手段が、移動パネルの下端部内に上下動可能に設けられ、かつ移動パネルの下端部に取付けたキャスタを下方に出没可能に収容してなるフィレットと、該フィレットの昇降機構とからなる構造が開示されている。
【０００５】
ここで、特許文献１に記載のものは、移動パネルの全荷重を天井のガイドレールで支持する吊下げ方式であり、各移動パネルを直線状に整列させたときに、下端から閉塞体は下降し、その下面の緩衝材が床面に接触するというものであり、文字通り閉塞体が移動パネルの下面と床面間の隙間を閉塞する機能は備えているものの、移動パネルを完全に移動不能にすることを目的としたものではない。
【０００６】
また、特許文献２のキャスタを取付けた可動板をトグルリンク機構で上下動させる構造のものは、移動パネルの表裏一方の面に操作レバーが露出し、キャスタを移動パネルの下端から出没操作するために操作レバーを足で踏まなければならないので、先ず外観性に問題があるとともに、不意に操作レバーに当って移動パネルが下降するといった予期しない動作をする恐れがある。また、特許文献２のフィレットが移動パネルの下端から突出してキャスタを浮き上がらせる構造のものは、移動パネルの中段位に回転可能に横設したねじ杆に螺進退可能にナット体を螺合し、該ナット体の左右運動をフィレットの上下運動に変換するように、該ナット体とフィレットとをリンク連結したフィレットの昇降機構を用いているので、移動パネルを昇降させるには、該移動パネルの側端面に露出したねじ杆の端部に、操作ハンドルを連結して回端操作しなければならず、非常に手間のかかるものである。
【特許文献１】実公昭４６−２８３９７号公報
【特許文献２】特開２００２−１９４９４２号公報
【発明の開示】
【発明が解決しようとする課題】
【０００７】
そこで、本発明が前述の状況に鑑み、解決しようとするところは、移動式パネルの上部が天井に設けたガイドレールで案内され、下部が床面上を走行する下荷重方式、あるいは移動パネルの上端部に設けたガイドローラで天井に設けたガイドレールに吊下げた吊下げ式であり、複数の移動パネルをガイドレールに沿って直線状に整列させた後、移動規制状態としてなる移動式間仕切装置であって、移動パネルを所定位置へ移動させた後に移動規制状態にすること、あるいは移動規制状態から移動可能状態にすることを簡単な操作で行うことができ、しかも外観的に全く問題のない移動式間仕切装置を提供するものである。
【課題を解決するための手段】
【０００８】
本発明は、前述の課題解決のために、移動パネルの下端部に設けた転動輪で床面上を走行するとともに、移動パネルの上端部に設けたガイドローラ又はガイドスライダーを天井に設けたガイドレールに沿って移動案内し、あるいは移動パネルの上端部に設けたガイドローラで天井に設けたガイドレールに吊下げ式に移動案内し、複数の移動パネルをガイドレールに沿って直線状に整列させた後、移動規制状態としてなる移動式間仕切装置であって、パネル本体の下端部に巾木部材を昇降ガイドによって昇降可能に設け、該巾木部材が上昇して前記転動輪が床面に接地し又はパネル本体の下端が床面から離れている移動可能状態では、該巾木部材の一端の先端部がパネル本体の側端面から突出し、該巾木部材の突出した先端部が他の物に当接した際の反力により下降して床面に巾木部材が圧接している状態では該巾木部材がパネル本体の直下に位置するようになっていることを特徴とする移動式間仕切装置移動式間仕切装置を構成した（請求項１）。
【０００９】
また、本発明は、前述の課題解決のために、移動パネルの下端部に設けた転動輪で床面上を走行するとともに、移動パネルの上端部に設けたガイドローラ又はガイドスライダーを天井に設けたガイドレールに沿って移動案内し、複数の移動パネルをガイドレールに沿って直線状に整列させた後、リフト機構によって転動輪を浮上させて移動規制状態としてなる移動式間仕切装置であって、前記リフト機構は、前記移動パネルのパネル本体の下端に、該パネル本体より下方へ突出するように転動輪を設けるとともに、平行リンクにて巾木部材を揺動昇降可能に設け、該巾木部材が上昇して前記転動輪が床面に接地している状態では、該巾木部材の一端の先端部がパネル本体の側端面から突出し、該巾木部材が下降して前記転動輪が床面から浮上している状態では該巾木部材がパネル本体の直下に位置するようになっていることを特徴とする移動式間仕切装置を構成した（請求項２）。
【００１０】
ここで、前記リフト機構は、前記パネル本体の下面に取付ける固定部材と前記巾木部材とを一対のリンク部材で互いに枢着して平行リンクを構成するとともに、前記固定部材と前記巾木部材との間に中間部材を配して前記リンク部材の中間部に枢着し、該中間部材の下面に前記転動輪を取付けるとともに、前記巾木部材の下端から転動輪が下方へ突出可能としてなることが好ましい（請求項３）。
【００１１】
更に、前記巾木部材は、上方開放した断面略コ字形の長尺チャンネル部材であり、該巾木部材が上昇した際に、その凹溝の内部に前記中間部材と固定部材を順に受け入れ可能であるとともに、前記巾木部材の底面板に前記転動輪が通過可能な開口部を対応させて設けていることが好ましい（請求項４）。
【００１２】
更に、前記リンク部材は側面視長方形のブロック状であり、前記巾木部材の先端部が突出する方向側に対応する前記リンク部材の上端角部を、前記固定部材に取付けた軸受具を用いて枢着するとともに、該リンク部材の下端角部の対角部を、前記巾木部材の底面板に取付けた軸受具を用いて枢着して、前記平行リンクを構成することが好ましい（請求項５）。
【００１３】
また、前記中間部材には、前記リンク部材を貫通し、その動きに干渉しないように開口を設け、該開口の口縁部に回転ダンパーで前記リンク部材の中間よりも上部に枢着していることがより好ましい（請求項６）。
【００１４】
そして、前記巾木部材の凹溝内で底面板に該巾木部材を下方へ弾性付勢する弾性体を設け、あるいはリンク部材を枢着した軸受具の軸部の回りに該巾木部材を下方へ弾性付勢するキックばねを設け、あるいは両者を設けてなることも好ましい（請求項７）。
【発明の効果】
【００１５】
以上にしてなる請求項１又は２に係る発明の移動式間仕切装置は、巾木部材が床面に圧接する部材と、作動させる部材とを兼ねた構造となっており、特に巾木部材を操作しなくても移動パネルの上部のみを持ってガイドレールに沿って押すだけで移動規制状態と移動可能状態とを実現することができ、また前記巾木部材が床面に接地し、転動輪が浮き上がった移動規制状態では、該巾木部材は文字通り巾木としてパネル本体と床面との隙間を閉鎖するのであり、また巾木部材の直上にパネル本体が位置するので外観性においても違和感のない一体感を出すことができる。
【００１６】
請求項３によれば、巾木部材が床面に圧接して前記転動輪が浮き上がった移動規制状態から、移動パネルをガイドレールに沿って移動させて格納する場合には、パネル本体の側部を持って引くだけで、平行リンクの準安定状態がくずれ、パネル本体の自重によりリンク部材が時計回りに回転しながら中間部材が下降して転動輪が床面に接地し、それから、更にパネル本体の自重によってリンク部材は回転し、前記巾木部材が自動的に引き上げられて、移動可能状態となるのである。特に、巾木部材が床面から離れた後に、パネル本体の自重が巾木部材を引き上げる駆動源となるので、確実に巾木部材を駆動することができる。
【００１７】
請求項４によれば、巾木部材は上方開放した断面略コ字形の長尺チャンネル部材であるので、該巾木部材が上昇した際に、その凹溝の内部に中間部材と固定部材を順に受け入れることができ、リフト機構をコンパクトにユニット化でき、また巾木部材の底面板に転動輪が通過可能な開口部を対応させて設けているので、巾木部材の凹溝内に中間部材が位置しても転動輪を底面板より下方へ突出させる動作に干渉しないのである。
【００１８】
請求項５によれば、巾木部材の真上にパネル本体が位置し、転動輪が浮上した移動規制状態が準安定状態になるので、その状態を安定に維持することができる。
【００１９】
請求項６によれば、中間部材をリンク部材に回転ダンパーを介して枢着したので、回転ダンパーが比較的大きなものでも装着することができ、また回転ダンパーの緩衝機能によりリフト機構の急激な動作を緩和することができ、特に移動規制状態から移動可能状態へ変更する際の動作が緩やかになる。
【００２０】
請求項７によれば、巾木部材が上昇した移動可能状態から、巾木部材の先端部を壁面又は先行して整列した他の移動パネルの側端面に突き当たって、その衝撃力を利用して巾木部材を平行リンクにより下降させるが、その際に巾木部材の初期下降動作を補助してスムーズな動作を保証している。
【発明を実施するための最良の形態】
【００２１】
次に、添付図面に示した実施形態に基づき、本発明を更に詳細に説明する。図１は本発明に係る移動式間仕切装置の動作原理を説明するための説明図、図２〜図５は簡略化した説明用の移動式間仕切装置を示し、図６〜図１０は本発明の要部を示し、図中符号１は移動パネル、２は転動輪、３はガイドローラ、４はガイドレール、５はリフト機構、Ｆは床面、Ｓは天井をそれぞれ示している。
【００２２】
本発明に係る移動式間仕切装置は、図２及び図３に示すように、移動パネル１の下端部に設けた転動輪２で床面Ｆ上を走行するとともに、移動パネル１の上端部に設けたガイドローラ３を天井Ｓに設けたガイドレール４に沿って移動案内し、複数の移動パネル１，…をガイドレール４に沿って列設させ、またガイドレール４の一側終端部に重ねて格納し、天井Ｓから床面Ｆにわたる全面を閉止可能又は開放可能となした下荷重方式の構造のものである。そして、本発明では、複数の移動パネル１，…をガイドレール４に沿って列設させた状態では、該移動パネル１の移動を規制するため、下端部に設けたリフト機構５を操作して該移動パネル１を上昇させ、もって前記転動輪２，…を床面Ｆから浮かせるのである。
【００２３】
ここで、前記ガイドレール４は少なくとも前後両面に一対の平行な垂下板６，６を有し、前記移動パネル１の上端に前記両垂下板６，６を受け入れる上方開放の凹溝部７を形成するとともに、該凹溝部７を形成する両立壁部８，８の内面に前記垂下板６の外面に摺接するスライダー９をそれぞれ設けて基本構成とした。尚、前記ガイドローラ３の代わりにガイドスライダーを用いることも可能であるが、移動パネル１をスムーズに移動するには、ガイドローラ３を用いることが好ましい。また、前記スライダー９，９は、前記ガイドレール４の両垂下板６，６の外面に設け、前記凹溝部７を形成する両立壁部８，８の内面に摺接しても良いが、外観性の観点から本実施形態のように両立壁部８，８の内面に設けることが好ましい。
【００２４】
更に詳しくは、前記ガイドレール４は、上板１０の両側縁から垂下板６，６を下設した下方開放の断面略コ字形の長尺部材で、両垂下板６，６の内面に対向状態で一対の摺動片１１，１１を全長にわたって突設したものであり、前記移動パネル１の横方向中央部で前記凹溝部７内から垂直な回転軸１２を有するガイドローラ３を上方へ突設し、該ガイドローラ３を前記両垂下板６，６間で両摺動片１１，１１の上位に転動可能に保持している。
【００２５】
そして、前記ガイドレール４は、両垂下板６，６の上下中間位置に前記摺動片１１，１１を形成した長尺のアルミ押し出し型材で形成し、一側終端部に対応する方向変換部Ａと、それ以外の直列保持部Ｂとからなり、前記方向変換部Ａの両摺動片１１，１１より下方の両垂下板６，６を切除して切欠部１３を形成し、前記移動パネル１が垂直姿勢で且つ前記転動輪２が床面Ｆに接した状態で、前記直列保持部Ｂの垂下板６，６に前記移動パネル１の立壁部８，８のスライダー９，９が摺接し且つ前記方向変換部Ａの垂下板６，６より前記移動パネル１の立壁部８，８が低くなるように高さ設定している。
【００２６】
それにより、前記移動パネル１が垂直姿勢で且つ転動輪２が床面Ｆに接した状態において、ガイドレール４の直列保持部Ｂの垂下板６，６に移動パネル１の立壁部８，８のスライダー９，９が摺接するので、該移動パネル１が回転することなく、ガイドレール４に沿って安定に直線移動させることができるとともに、複数の移動パネル１，…を直線上に整列させることができる（図１（ａ）参照）。また、ガイドレール４の方向変換部Ａでは、該方向変換部Ａに切欠部１３を形成し、垂下板６，６より移動パネル１の立壁部８，８が低くなるように高さ設定しているので、前記垂直な回転軸１２を中心として移動パネル１を回転させることができる（図１（ｃ）参照）。こうして、ガイドレール４の方向変換部Ａにおいて、次々と移動パネル１，…を回転させて、互に平行に重ね合せてコンパクトに格納することができるのである（図１（ｄ）及び図１（ｅ）参照）。
【００２７】
ここで、前記ガイドレール４の方向変換部Ａの壁側端部には、前記各移動パネル１，…を方向変換部Ａに受け入れるための空間を確保するために水平回転可能な開閉パネル１４を設けている。前記開閉パネル１４は一側の上下端部を壁面Ｗの近傍で前記ガイドレール４の直下位置に枢着している。また、前記方向変換部Ａの長さは、最後の一枚の移動パネル１を除き、他の移動パネル１，…を方向変換部Ａに重ねて格納した状態で、最後の移動パネル１を方向変換部Ａの残余の空間で回転させることができるように設定している。つまり、前記開閉パネル１４を開いた状態で残余の方向変換部Ａの長さＬは、移動パネル１，…の枚数をＮ、横幅をＤ、厚さをＴとした場合に、Ｌ＞（Ｎ−１）Ｔ＋Ｄを満足するように設定されている。
【００２８】
そして、図４（ａ）及び（ｂ）に示すように、前記移動パネル１の凹溝部７内に平面視長円形状の合成樹脂製のブロック体１５を取付けるとともに、前記ガイドローラ３の回転軸１２を前記ブロック体１５に貫通させて設け、前記ブロック体１５を前記ガイドレール４の両垂下板６，５間で摺動片１１，１１より下方に摺動可能となしている。更に詳しくは、前記ブロック体１５の中心孔１６を貫通した前記回転軸１２の上端部に、前記ガイドローラ３を回転可能に設けるとともに、該ブロック体１５の下面と前記回転軸１２の下端に設けた係止部１７との間に圧縮コイルばね１８を介在させて機構部をユニット化している。
【００２９】
そして、前記ブロック体１５に回転軸１２、ガイドローラ３、係止部１７及び圧縮コイルばね１８を組み合わせてユニット化した状態で、前記移動パネル１の凹溝部７の底面板１９でパネル横幅の中央部に形成した開口２０に、前記係止部１７と圧縮コイルばね１８を共に上方から挿通してパネル内部に位置させるとともに、前記ブロック体１５を前記底面板１９に上方からねじ２１，…にて締着する。ここで、前記ブロック体１５に対するガイドローラ３の上動に対して圧縮コイルばね１８が圧縮されるので、その反発力による弾性抵抗力を備えている。前記ガイドローラ３は、ガイドレール４の両摺動片１１，１１に係止されるので、同じ高さ位置でガイドレール４に沿って転動するが、図６に示すように、前記移動パネル１が移動中に左右に振れて傾斜すると、この場合に移動パネル１の重心は下がって前記圧縮コイルばね１８を押し縮めることになるが、弾性抵抗力によって移動パネル１が自動的に垂直姿勢に復元するように作用するのである。
【００３０】
そして、図６に示すように、所定位置に移動させた移動パネル１の姿勢を安定に維持するために、各移動パネル１の下端に設けたリフト機構５を操作して床面Ｆに圧接し、前記転動輪２を床面Ｆから浮上させる。また、ガイドレール４の方向変換部Ａに位置する移動パネル１を前記リフト機構５によって浮上させると、前記垂下板６，６より前記移動パネル１の立壁部８，８が高くなるので、その上縁に設けたスライダー９，９が垂下板６，６に当止するので、回転が規制された状態となる。尚、直列保持部Ｂに位置する移動パネル１，…は、常にスライダー９，９がガイドレール４の垂下板６，６に当止する位置にある。
【００３１】
次に、図６〜図９に示したリフト機構５の第１実施形態と、図１０に示したリフト機構５の第２実施形態を説明する。先ず、両実施形態に共通するリフト機構５の基本構成について説明する。前記リフト機構５は、前記移動パネル１のパネル本体２２の下端に該パネル本体２２より下方へ突出するように転動輪２，…を設けるとともに、パネル本体２２の下端に平行リンク２３にて巾木部材２４を揺動昇降可能に設け、該巾木部材２４が上昇して前記転動輪２，…が床面Ｆに接地している状態では、該巾木部材２４の一端の先端部２４Ａがパネル本体２２の側端面から突出し、該巾木部材２４が下降して前記転動輪２，…が床面Ｆから浮上している状態では該巾木部材２４がパネル本体２２の直下に位置するようになっている。第１実施形態では、前記転動輪２，…をリフト機構５に組み込んで可動としたのに対し、第２実施形態では、前記転動輪２，…をパネル本体２２の下端に固定的に取付けた点で相違しているが、基本的な動作は共通している。
【００３２】
そして、図６（ａ）及び図７（ａ）に示した前記巾木部材２４が上昇した状態で、前記移動パネル１を巾木部材２４の一端が側方へ突出した側からガイドレール４に沿って移動させ、該巾木部材２４の突出した先端部２４Ａを壁面Ｗ又は先行して整列した他の移動パネル１の側端面（実際には巾木部材２４）に突き当てると、前記平行リンク２３で案内されて前記巾木部材２４が下降して床面Ｆに当接する（図７（ｂ）参照）。そして、前記巾木部材２４が床面Ｆに当接した後は、前記移動パネル１の移動による慣性力と側方へ押す力は、前記パネル本体２２を上昇させる力に前記平行リンク２３で変換され、最終的に該巾木部材２４の真上にパネル本体２２が位置して壁面Ｗ又は先行して整列した他の移動パネル１の側端面に密接するのである（図６（ｂ）及び図７（ｃ）参照）。この状態で、前記パネル本体２２の荷重は前記平行リンク２３を上死点で準安定状態に維持するように作用する。
【００３３】
次に、第１実施形態を図６〜図９に基づいて更に詳しく説明する。本実施形態のリフト機構５は、前記パネル本体２２の下面に取付ける固定部材２５と前記巾木部材２４とを一対の側面視長方形のブロック状のリンク部材２６，２６で互いに枢着して平行リンク２３を構成するとともに、前記固定部材２５と前記巾木部材２４との間に中間部材２７を配して前記リンク部材２６，２６の中間部に枢着し、該中間部材２７の下面に前記転動輪２，…を取付けて構成している。前記固定部材２５と中間部材２７は、長尺の扁平部材であり、互いに重なるような形状となっている。また、前記巾木部材２４は、上方開放した断面略コ字形の長尺チャンネル部材であり、該巾木部材２４が上昇した際に、その凹溝２８の内部に前記中間部材２７と固定部材２５を順に受け入れることができるようになっている。その際に、前記巾木部材２４の底面板２９に前記転動輪２，…が通過可能な開口部３０，…を対応させて設けている。
【００３４】
ここで、前記巾木部材２４の先端部２４Ａが突出する方向側に対応する前記リンク部材２６の上端角部を、前記固定部材２５に取付けた軸受具３１を用いて枢着するとともに、該リンク部材２６の下端角部の対角部を、前記巾木部材２４の底面板２９に取付けた軸受具３２を用いて枢着して、前記平行リンク２３を構成するとともに、該平行リンク２３を上死点、つまりリンク部材２６が立起した際に準安定状態になるようにしている。更に、前記中間部材２７には、前記リンク部材２６を貫通し、その動きに干渉しないように開口３３を設け、該開口３３の口縁部に回転ダンパー３４で前記リンク部材２６の中間よりも上部に枢着している。従って、前記平行リンク２３による上下移動距離は、中間部材２７よりも巾木部材２４の方が長くなり、その結果、巾木部材２４の開口部３０から転動輪２が出没するのである。前記中間部材２７を回転ダンパー３４で枢着したのは、平行リンク２３の急激な動作を緩和するためである。更に、前記巾木部材２４の凹溝２８内で底面板２９に渦巻きコイルばね３５を上設している。この渦巻きコイルばね３５は、前記巾木部材２４を安定的に下方へ弾性付勢することが可能であれば、他の圧縮コイルばねや板ばね等の弾性体であってもよい。
【００３５】
前記リフト機構５は、前記巾木部材２４、固定部材２５、中間部材２７が平行リンク２３で互いに連結され、前記転動輪２，…が中間部材２７に取付けられてユニット化されている。図８及び図９に示すように、このユニットを前記パネル本体２２の下端部に形成した下方開放の凹溝部３６内に、前記固定部材２５を取付けて装着している。
【００３６】
図７（ａ）及び図８に示した移動パネル１の移動可能状態において、前記平行リンク２３のリンク部材２６，２６は真横に倒れ、中間部材２７が固定部材２５に重なり、両部材が上昇した巾木部材２４の凹溝２８内に収容され、該巾木部材２４の先端部２４Ａがパネル本体２２の側端面から側方へ突出した状態となる。この状態で、前記渦巻きコイルばね３５は巾木部材２４の底面板２９とリンク部材２６の側面との間に圧縮されている。それから、前記移動パネル１を先端部２４Ａを有する側からガイドレール４に沿って移動させて、該先端部２４Ａを壁面Ｗ又は先行して整列させた他の移動パネル１の側端面に突き当てると、リンク部材２６に反時計回りの回転力が作用し、巾木部材２４が下降しながらパネル本体２２は前進し、やがて図７（ｂ）に示すように巾木部材２４が床面Ｆに当接する。ここで、前記巾木部材２４の初期動作を前記渦巻きコイルばね３５が補助し、更に軸受具３２の軸部の回りに設けたキックばね３７で補助し、スムーズな動作を保証している。更に、パネル本体２２が前進して巾木部材２４の真上に来るまでリンク部材２６が回転し、それに伴い前記中間部材２７が上昇して転動輪２，…が開口部３０内に没入して床面Ｆから浮き上がるのである（図７（ｃ）、図９参照）。この状態では、前記リンク部材２６が垂直に立起し、短辺側の端面が巾木部材２４の底面板２９と固定部材２５の下面に当止した準安定状態となっており、この状態では反時計回りの回転を確実に規制し、時計回りの回転に対しては位置エネルギーの増加を伴うので簡単には回転しないようになっている。同様にして、次々と他の移動パネル１を先行して整列させた移動パネル１の側端面に突き当てた状態で順次整列させるのである。
【００３７】
図７（ｃ）及び図９に示したように、前記巾木部材２４が床面Ｄに圧接して前記転動輪２，…が浮き上がった状態（移動規制状態）から、移動パネル１をガイドレール４に沿って移動させて格納する場合には、パネル本体２２の側部を持って引くことにより、平行リンク２３の準安定状態がくずれ、パネル本体２２の自重によりリンク部材２６が時計回りに回転しながら中間部材２７が下降し、やがて開口部３０を通して転動輪２，…が床面Ｆに接地する。それから、更にパネル本体２２の自重によってリンク部材２６は回転し、前記巾木部材２４が引き上げられるのである。最後には、図７（ａ）及び図８に示す移動可能状態となるのである。
【００３８】
最後に、図１０に基づいて第２実施形態を説明する。本実施形態のリフト機構５は、巾木部材２４と固定部材２５を一対のリンク部材２６，２６で連結して平行リンク２３を構成し、巾木部材２４の急激な動作を制限するための固定部材２５の下面に回転ダンパー３８を取付け、該回転ダンパー３８の回転軸に一端を固定したステー３９の下端を前記巾木部材２４の底面板２９の上面に軸受具４０を用いて枢着し、更に転動輪２，…が床面Ｆに接地した後の前記巾木部材２４を上昇させるための引張りコイルばね４１を前記前記巾木部材２４の底面板２９と固定部材２５の下面の間に係着した構造である。
【００３９】
本実施形態の場合は、図１０（ａ）に示すように、前記巾木部材２４が引張りコイルばね４１の弾性力によって引き上げられ、該巾木部材２４の底面板２９の開口部３０から下方に突出した転動輪２，…が床面Ｆに接地し、移動パネル１が移動可能状態となる。この状態で前記巾木部材２４の一端の先端部２４Ａはパネル本体２２の側端面から突出している。そして、移動パネル１をガイドレール４に沿って移動させて前記先端部２４Ａが壁面Ｗ又は先行して整列させた他の移動パネル１の側端面に突き当たると、前記引張りコイルばね４１の弾性力に抗して平行リンク２３により巾木部材２４が平行に下降し、やがて床面Ｆに当接する（図１０（ｂ）参照）。それから、更に移動パネル１が移動すると、巾木部材２４の真上にパネル本体２２が乗り上げるように上昇し、前記転動輪２，…が床面Ｆから浮き上がるのである（図１０（ｃ）参照）。この状態が準安定状態の移動規制状態となり、移動パネル１を安定に整列させて設置することができるのである。
【００４０】
前述の両実施形態とも巾木部材２４が床面Ｆに圧接する部材と、作動させる部材とを兼ねた構造となっており、特に巾木部材２４を操作しなくても移動パネル１の上部のみを持ってガイドレール４に沿って押すだけで移動規制状態と移動可能状態とを実現することができるのである。そして、前記巾木部材２４が床面Ｆに接地し、転動輪２，…が浮き上がった移動規制状態では、該巾木部材２４は文字通り巾木としてパネル本体２２と床面Ｆとの隙間を閉鎖するのであり、また巾木部材２４の直上にパネル本体２２が位置するので外観性においても違和感のない一体感をだすことができる。
【図面の簡単な説明】
【００４１】
【図１】移動式間仕切装置の動作原理を説明するための説明図である。
【図２】移動パネルがガイドレールの直列保持部に位置した状態を一部断面で示した斜視図である。
【図３】移動パネルがガイドレールの方向変換部に位置した状態を一部断面で示した斜視図である。
【図４】ガイドローラを含むユニット化した機構部を示し、（ａ）は機構部を移動パネルに取付ける様子を示した斜視図、（ｂ）は取付後の縦断面図である。
【図５】所定位置に移動させた移動パネルをリフト機構によって上昇させた状態を一部断面で示した斜視図である。
【図６】本発明の第１実施形態のリフト機構の説明図であり、（ａ）は移動可能状態の部分断面図、（ｂ）は移動規制状態の部分断面図である。
【図７】同じくリフト機構の要部を示し、（ａ）は移動可能状態の部分拡大断面図、（ｂ）は巾木部材が床面に接地した直後の状態の部分拡大断面図、（ｃ）は移動規制状態の部分拡大断面図である。
【図８】図７（ａ）のＸ−Ｘ線断面図である。
【図９】図７（ｃ）のＹ−Ｙ線断面図である。
【図１０】本発明の第２実施形態のリフト機構の説明図であり、（ａ）は移動可能状態の部分拡大断面図、（ｂ）は巾木部材が床面に接地した直後の状態の部分拡大断面図、（ｃ）は移動規制状態の部分拡大断面図である。
【符号の説明】
【００４２】
１  移動パネル、          ２  転動輪、
３  ガイドローラ、        ４  ガイドレール、
５  リフト機構、          ６  垂下板、
７  凹溝部、              ８  立壁部、
９  スライダー、          １０  上板、
１１  摺動片、            １２  回転軸、
１３  切欠部、            １４  開閉パネル、
１５  ブロック体、        １６  中心孔、
１７  係止部、            １８  圧縮コイルばね、
１９  底面板、            ２０  開口、
２１  ネジ、              ２２  パネル本体、
２３  平行リンク、        ２４  巾木部材、
２４Ａ  先端部、          ２５  固定部材、
２６  リンク部材、        ２７  中間部材、
２８  凹溝、              ２９  底面板、
３０  開口部、            ３１  軸受具、
３２  軸受具、            ３３  開口、
３４  回転ダンパー、      ３５  渦巻きコイルばね、
３６  凹溝部、            ３７  キックばね、
３８  回転ダンパー、      ３９  ステー、
４０  軸受具、            ４１  引張りコイルばね、
Ａ  方向変換部、          Ｂ  直列保持部、
Ｆ  床面、                Ｓ  天井、
Ｗ  壁面。
【図１】
2008095285.tif 000003
【図２】
2008095285.tif 000004
【図３】
2008095285.tif 000005
【図４】
2008095285.tif 000006
【図５】
2008095285.tif 000007
【図６】
2008095285.tif 000008
【図７】
2008095285.tif 000009
【図８】
2008095285.tif 000010
【図９】
2008095285.tif 000011
【図１０】
2008095285.tif 000012